(57)【要約】無線通信ネットワークのためのアクセス識別子でモビリティ管理モードを示すことおよび決定することを容易にするシステムおよび方法論が記述される。無線デバイスは、ターゲット・システムを選択し、選択されたシステムおよびホーム・システムを１または複数のネットワーク構成要素へ通信することによって、利用されるモビリティ管理モードを示しうる。ネットワーク構成要素は、少なくとも部分的に、ターゲット・システムとホーム・システムとの間の関係に基づいて、モビリティ管理モードを推論するか、あるいは決定する。
2010530161.tif 000002
【特許請求の範囲】
【請求項１】
無線通信のためのモビリティ管理モードを決定することを容易にする方法であって、
無線デバイスのホーム・システムおよびターゲット・システムを含むアクセス識別子を受信することと、
少なくとも部分的にポリシーに基づいて、要求された通信のためのモビリティ管理モードを推論することと、
前記無線デバイスおよび１または複数の異なるサービス・プロバイディング・ネットワーク構成要素と通信する際に、前記モビリティ管理モードを利用することと
を備える方法。
【請求項２】
前記ポリシーは、前記ホーム・システムと前記ターゲット・システムとの関連性に関する情報を備える請求項１に記載の方法。
【請求項３】
前記ホーム・システムは前記ターゲット・システムと関連しており、前記モビリティ管理モードとしてネットワーク・ベースのモビリティが決定される請求項２に記載の方法。
【請求項４】
前記ターゲット・システムは、第３世代パートナシップ計画（３ＧＰＰ）ロング・ターム・エボリューション（ＬＴＥ）であり、前記ネットワーク・ベースのモビリティは、前記１または複数の異なるサービス・プロバイディング・ネットワーク構成要素と通信するためにＳ５インタフェースまたはＳ８インタフェースを利用する請求項３に記載の方法。
【請求項５】
前記ネットワーク・ベースのモビリティは、前記１または複数の異なるサービス・プロバイディング・ネットワーク構成要素と通信するために、Ｓ２ａ／ｂインタフェースを用いる近接モバイル・インターネット・プロトコル（ＰＭＩＰ）を利用する請求項３に記載の方法。
【請求項６】
前記ホーム・システムは、前記ターゲット・システムと関連しておらず、前記モビリティ管理モードとして、ホスト・ベースのモビリティが決定される請求項２に記載の方法。
【請求項７】
前記ホスト・ベースのモビリティは、前記１または複数の異なるサービス・プロバイディング・ネットワーク構成要素と通信するためにモバイル・インターネット・プロトコル（ＭＩＰ）を利用する請求項６に記載の方法。
【請求項８】
無線通信装置であって、
少なくとも部分的に、通信サービスを要求する無線デバイスのホーム・システムおよびターゲット・システムを示すインジケーションに基づいて、無線通信で利用するモビリティ管理モードを決定するように構成された少なくとも１つのプロセッサと、
前記少なくとも１つのプロセッサに接続されたメモリと
を備える無線通信装置。
【請求項９】
前記少なくとも１つのプロセッサはさらに、１または複数の異なる無線ネットワーク構成要素によるモビリティ管理モードの利用を容易にするように構成された請求項８に記載の無線通信装置。
【請求項１０】
前記ホーム・システムは前記ターゲット・システムと関連しており、前記少なくとも１つのプロセッサは、前記モビリティ管理モードとしてネットワーク・ベースのモビリティを決定する請求項８に記載の無線通信装置。
【請求項１１】
前記ターゲット・システムは、第３世代パートナシップ計画（３ＧＰＰ）ロング・ターム・エボリューション（ＬＴＥ）であり、前記ネットワーク・ベースのモビリティは、１または複数の異なる無線ネットワーク構成要素と通信するためにＳ５インタフェースまたはＳ８インタフェースを利用する請求項１０に記載の無線通信装置。
【請求項１２】
前記ネットワーク・ベースのモビリティは、１または複数の異なる無線ネットワーク構成要素と通信するために、Ｓ２ａ／ｂインタフェースを用いる近接モバイル・インターネット・プロトコル（ＰＭＩＰ）を利用する請求項１０に記載の無線通信装置。
【請求項１３】
前記ホーム・システムは、前記ターゲット・システムと関連しておらず、前記少なくとも１つのプロセッサは、前記モビリティ管理モードとして、ホスト・ベースのモビリティを決定する請求項８に記載の無線通信装置。
【請求項１４】
前記ホスト・ベースのモビリティは、１または複数の異なる無線ネットワーク構成要素と通信するために、モバイル・インターネット・プロトコル（ＭＩＰ）を利用する請求項１３に記載の無線通信装置。
【請求項１５】
前記ホーム・システムおよびターゲット・システムは、前記無線デバイスによって、修正ネットワーク・アクセス識別子（ＮＡＩ）で通信される請求項８に記載の無線通信装置。
【請求項１６】
無線通信のためのモビリティ管理モードを決定するための無線通信装置であって、
無線デバイスに関連するターゲット・システムおよびホーム・システムを含むアクセス識別子を受信する手段と、
少なくとも部分的に、前記アクセス識別子に基づいて、前記無線デバイスとの通信のためのモビリティ管理モードを決定する手段と
を備える無線通信装置。
【請求項１７】
前記モビリティ管理モードは、少なくとも部分的に、前記ホーム・システムと前記ターゲット・システムとの関連性に基づいて決定される請求項１６に記載の無線通信装置。
【請求項１８】
前記ホーム・システムは前記ターゲット・システムと関連しており、前記モビリティ管理モードとして、ネットワーク・ベースのモビリティが決定される請求項１７に記載の無線通信装置。
【請求項１９】
前記ターゲット・システムは、第３世代パートナシップ計画（３ＧＰＰ）ロング・ターム・エボリューション（ＬＴＥ）であり、前記ネットワーク・ベースのモビリティは、１または複数の異なるサービス・プロバイディング・ネットワーク構成要素と通信するためにＳ５インタフェースまたはＳ８インタフェースを利用する請求項１８に記載の無線通信装置。
【請求項２０】
前記ネットワーク・ベースのモビリティは、１または複数の異なるサービス・プロバイディング・ネットワーク構成要素と通信するために、Ｓ２ａ／ｂインタフェースを用いる近接モバイル・インターネット・プロトコル（ＰＭＩＰ）を利用する請求項１８に記載の無線通信装置。
【請求項２１】
前記ホーム・システムは、前記ターゲット・システムと関連しておらず、前記モビリティ管理モードとして、ホスト・ベースのモビリティが決定される請求項１７に記載の無線通信装置。
【請求項２２】
前記ホスト・ベースのモビリティは、１または複数の異なるサービス提供ネットワーク構成要素と通信するためにモバイル・インターネット・プロトコル（ＭＩＰ）を利用する請求項２１に記載の無線通信装置。
【請求項２３】
前記無線デバイスおよび１または複数の異なるサービス・プロバイディング・ネットワーク構成要素と通信する際に、前記モビリティ管理モードを利用する手段をさらに備える請求項１６に記載の無線通信装置。
【請求項２４】
前記無線デバイスとの通信を容易にするために、１または複数の異なるネットワーク構成要素に前記モビリティ管理モードを提供する手段をさらに備える請求項１６に記載の無線通信装置。
【請求項２５】
コンピュータ・プログラム製品であって、
少なくとも１つのコンピュータに対して、無線デバイスのホーム・システムおよびターゲット・システムを含むアクセス識別子を受信させるためのコードと、
前記少なくとも１つのコンピュータに対して、少なくとも部分的に前記アクセス識別子に基づいて、要求された通信のモビリティ管理モードを推論させるためのコードと、
前記少なくとも１つのコンピュータに対して、前記無線デバイスおよび１または複数の異なるサービス・プロバイディング・ネットワーク構成要素と通信する際に、前記モビリティ管理モードを利用させるためのコードと
を備えるコンピュータ読取可能媒体を備えるコンピュータ・プログラム製品。
【請求項２６】
無線通信においてモビリティ管理モードを指定する方法であって、
少なくとも部分的に、所望のモビリティ管理モードに基づいてターゲット・システムを選択することと、
前記ターゲット・システムおよびホーム・システムを含むアクセス識別子を生成することと、
前記アクセス識別子を、前記ターゲット・システムへのアクセス要求とともに、１または複数のネットワーク構成要素へ送信することと
を備える方法。
【請求項２７】
前記選択されたターゲット・システムは、ネットワーク・ベースのモビリティ管理モードを示す遠隔ゲートウェイである請求項２６に記載の方法。
【請求項２８】
前記選択された遠隔ゲートウェイは、第３世代パートナシップ計画（３ＧＰＰ）ロング・ターム・エボリューション（ＬＴＥ）パケット・データ・ネットワーク（ＰＤＮ）ゲートウェイとの通信の際にＳ８インタフェースが利用されるべきであることを示す第３世代パートナシップ計画（３ＧＰＰ）ロング・ターム・エボリューション（ＬＴＥ）パケット・データ・ネットワーク（ＰＤＮ）ゲートウェイである請求項２７に記載の方法。
【請求項２９】
前記選択されたターゲット・システムは、ホスト・ベースのモビリティ管理モードを示すアンカーされていない訪問ゲートウェイである請求項２６に記載の方法。
【請求項３０】
前記ターゲット・システムへのアクセス要求に基づいてリソースを受信することと、
前記リソースを利用する際に、前記モビリティ管理モードを保つことと
をさらに備える請求項２６に記載の方法。
【請求項３１】
無線通信装置であって、
少なくとも部分的に所望のモビリティ管理モードに基づいて、接続が望まれるターゲット・システムおよびホーム・システムを含む無線通信のアクセス識別子を生成するように構成された少なくとも１つのプロセッサと、
前記少なくとも１つのプロセッサに接続されたメモリと
を備える無線通信装置。
【請求項３２】
前記少なくとも１つのプロセッサはさらに、少なくとも部分的に前記所望のモビリティ管理モードに基づいて、前記ターゲット・システムを選択するように構成された請求項３１に記載の無線通信装置。
【請求項３３】
前記選択されたターゲット・システムは、ネットワーク・ベースのモビリティ管理モードを示す遠隔ゲートウェイである請求項３２に記載の無線通信装置。
【請求項３４】
前記選択された遠隔ゲートウェイは、第３世代パートナシップ計画（３ＧＰＰ）ロング・ターム・エボリューション（ＬＴＥ）パケット・データ・ネットワーク（ＰＤＮ）ゲートウェイとの通信の際にＳ８インタフェースが利用されるべきであることを示す第３世代パートナシップ計画（３ＧＰＰ）ロング・ターム・エボリューション（ＬＴＥ）パケット・データ・ネットワーク（ＰＤＮ）ゲートウェイである請求項３３に記載の無線通信装置。
【請求項３５】
前記選択されたターゲット・システムは、ホスト・ベースのモビリティ管理モードを示すアンカーされていない訪問ゲートウェイである請求項３２に記載の無線通信装置。
【請求項３６】
前記少なくとも１つのプロセッサはさらに、前記アクセス識別子を指定する前記ターゲット・システムへアクセス要求するように構成された請求項３１に記載の無線通信装置。
【請求項３７】
前記少なくとも１つのプロセッサはさらに、前記アクセス要求に関連するリソースを受信し、前記リソースを利用する際に、前記モビリティ管理モードを保つように構成された請求項３６に記載の無線通信装置。
【請求項３８】
無線通信においてモビリティ管理モードを指定することを容易にする無線通信装置であって、
少なくとも部分的に所望のモビリティ管理モードに基づいて、ターゲット・システムを選択する手段と、
前記ターゲット・システムおよびホーム・システムを含むアクセス識別子を生成する手段と、
前記ターゲット・システムへアクセスを要求する手段とを備え、
前記要求は前記アクセス識別子を含む無線通信装置。
【請求項３９】
前記選択されたターゲット・システムは、ネットワーク・ベースのモビリティ管理モードを示す遠隔ゲートウェイである請求項３８に記載の無線通信装置。
【請求項４０】
前記選択された遠隔ゲートウェイは、第３世代パートナシップ計画（３ＧＰＰ）ロング・ターム・エボリューション（ＬＴＥ）パケット・データ・ネットワーク（ＰＤＮ）ゲートウェイとの通信の際にＳ８インタフェースが利用されるべきであることを示す第３世代パートナシップ計画（３ＧＰＰ）ロング・ターム・エボリューション（ＬＴＥ）パケット・データ・ネットワーク（ＰＤＮ）ゲートウェイである請求項３９に記載の無線通信装置。
【請求項４１】
前記選択されたターゲット・システムは、ホスト・ベースのモビリティ管理モードを示すアンカーされていない訪問ゲートウェイである請求項３８に記載の無線通信装置。
【請求項４２】
前記ターゲット・システムへアクセスを要求することに基づいてリソースを受信する手段と、
前記リソースを利用する際に、前記モビリティ管理モードを利用する手段と
をさらに備える請求項３８に記載の無線通信装置。
【請求項４３】
コンピュータ・プログラム製品であって、
少なくとも１つのコンピュータに対して、少なくとも部分的に、所望のモビリティ管理モードに基づいてターゲット・システムを選択させるためのコードと、
前記少なくとも１つのコンピュータに対して、前記ターゲット・システムおよびホーム・システムを含むアクセス識別子を生成させるためのコードと、
前記少なくとも１つのコンピュータに対して、前記アクセス識別子を、通信要求とともに、１または複数のネットワーク構成要素へ送信させるためのコードと
を備えるコンピュータ読取可能媒体を備えるコンピュータ・プログラム製品。
【請求項４４】
前記選択されたターゲット・システムは、ネットワーク・ベースのモビリティ管理モードを示す遠隔ゲートウェイである請求項４３に記載のコンピュータ・プログラム製品。
【請求項４５】
前記選択された遠隔ゲートウェイは、第３世代パートナシップ計画（３ＧＰＰ）ロング・ターム・エボリューション（ＬＴＥ）パケット・データ・ネットワーク（ＰＤＮ）ゲートウェイとの通信の際にＳ８インタフェースが利用されるべきであることを示す第３世代パートナシップ計画（３ＧＰＰ）ロング・ターム・エボリューション（ＬＴＥ）パケット・データ・ネットワーク（ＰＤＮ）ゲートウェイである請求項４５に記載のコンピュータ・プログラム製品。
【発明の詳細な説明】
【関連出願に対する相互参照】
【０００１】
本願は、２００７年６月７日に出願され "METHOD AND APPARATUS FOR MOBILITY MANAGEMENT MODE SELECTION IN MULTI-ACCESS SYSTEMS"と題された米国仮特許出願６０／９４２，６５６号の利益を要求する。前記出願の全体は、参照によって本明細書に組み込まれる。
【技術分野】
【０００２】
以下の説明は、一般に、無線通信に関し、さらに詳しくは、無線通信ネットワークにおいて多元接続を提供することに関する。
【背景技術】
【０００３】
無線通信システムは、例えば音声、データ等のような様々なタイプの通信コンテンツを提供するために広く開発された。一般的な無線通信システムは、（例えば、帯域幅、送信電力等のような）利用可能なシステム・リソースを共有することによって、複数のユーザとの通信をサポートすることが可能な多元接続システムでありうる。そのような多元接続システムの一例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含んでいる。さらに、システムは、例えば第三世代パートナシップ計画（３ＧＰＰ）、３ＧＰＰロング・ターム・イボリューション（ＬＴＥ）、超モバイル・ブロードバンド（ＵＭＢ）等のような仕様に準拠しうる。
【０００４】
通常、無線多元接続通信システムは、複数のモバイル・デバイスのための通信を同時にサポートすることができる。さらに、そのようなネットワークは、例えば、上記リストされたネットワーク、worldwide interoperability for microwave access（ＷｉＭＡＸ）、無線ローカル・エリア・ネットワーク（ＷＬＡＮ）、無線メトロポリタン・エリア・ネットワーク（ＷＭＡＮ）、および／またはそれらの構成要素のようなその他のネットワークのサブシステムを組み込み始めている。そのような組み込みによって、サブシステム間の異なる要求から生じるサブシステムへのアクセス問題が生じる。この点につき、複数のサブシステムへのアクセスを提供するためには一般に、ゲートウェイが用いられている。ゲートウェイは、望まれれば、サブシステム間のシームレスなハンドオーバを容易にする。現在、多元接続システムおよびそれらのサブシステムへ接続するための多くのメカニズムがある。例えば、モバイル・デバイスは、訪問ゲートウェイすなわち遠隔ゲートウェイへアンカーしている間（あるいは、アンカーしていない間）、多元接続システムまたはサブシステムへ接続することができる。これによって、起こりうる多くの接続パスの入れ替えが生じる。その多くは、異なるアクセスおよびモビリティ管理モードをもたらす。
【発明の概要】
【０００５】
以下は、このような実施形態の基本的な理解を提供するために、１または複数の実施形態の簡単な概要を提供する。この概要は、考えられる全ての実施形態の広範な概観ではなく、全ての実施形態の重要要素や決定的要素を特定することでも、任意または全ての実施形態の範囲を線引きすることでもないことが意図される。その唯一の目的は、１または複数の実施形態の幾つかの概念を、後に示されるより詳細な説明の前置きとして簡単な形式で示すことである。
【０００６】
１または複数の実施形態および対応する開示によれば、さまざまな態様が、少なくとも部分的に、ユーザ機器（ＵＥ）によるパケット・データ・ネットワーク（ＰＤＮ）ゲートウェイの選択に基づいて、アクセスおよびモビリティ管理モードを決定することを容易にすることに関連して記述される。例えば、遠隔のＰＤＮゲートウェイが選択された場合、アクセスを与えるためにネットワーク・ベースのモビリティ管理が使用されると決定されうる。一方、ＵＥがローカル・アクセスを要求すると、そのようなアクセスが提供され、ＵＥは、ホスト・ベースのモビリティ管理を遠隔のユーザへ与える。この機能を容易にするために、接続時にモバイル・デバイスによって使用される識別子は、ＵＥのホーム・システムおよびユーザを含むように修正されるのみならず、モビリティ管理モードを識別するために使用される所望のターゲット・システムを含むようにも修正される。
【０００７】
関連する態様によれば、無線通信のためのモビリティ管理モードを決定することを容易にする方法が提供される。この方法は、無線デバイスのためのターゲット・システムおよびホーム・システムを含むアクセス識別子を受信することを含む。この方法はまた、少なくとも部分的にポリシーに基づいて、要求された通信のためのモビリティ管理モードを推論することと、無線デバイスおよび１または複数の異なるサービス・プロバイディング・ネットワーク構成要素と通信する際に、モビリティ管理モードを利用することとを含みうる。
【０００８】
別の態様は、無線通信装置に関する。この無線通信装置は、少なくとも部分的に、通信サービスを要求している無線デバイスのためのホーム・システムおよびターゲット・システムを示すインジケーションに基づいて、無線通信において利用するモビリティ管理モードを決定するように構成された少なくとも１つのプロセッサを含みうる。この無線通信装置はさらに、少なくとも１つのプロセッサに接続されたメモリを含むことができる。
【０００９】
また、別の態様は、無線通信のためのモビリティ管理モードを決定する無線通信装置に関する。この無線通信装置は、無線デバイスに関連するターゲット・システムおよびホーム・システムを含むアクセス識別子を受信する手段を備える。この無線通信装置はさらに、少なくとも部分的にこのアクセス識別子に基づいて、無線デバイスとの通信のためのモビリティ管理モードを決定する手段を含む。
【００１０】
さらに別の態様は、コンピュータ・プログラム製品に関する。このコンピュータ・プログラム製品は、少なくとも１つのコンピュータに対して、無線デバイスのためのターゲット・システムおよびホーム・システムを含むアクセス識別子を受信させるためのコードを含むコンピュータ読取可能媒体を有する。このコンピュータ読取可能媒体はさらに、少なくとも１つのコンピュータに対して、少なくとも部分的にアクセス識別子に基づいて、要求された通信のためのモビリティ管理モードを推論させるためのコードも含みうる。さらに、コンピュータ読取可能媒体は、少なくとも１つのコンピュータに対して、無線デバイスおよび１または複数の異なるサービス・プロバイディング・ネットワーク構成要素と通信する際に、モビリティ管理モードを利用させるためのコードを備えうる。
【００１１】
さらなる態様によれば、無線通信におけるモビリティ管理モードを指定する方法が提供される。この方法は、少なくとも部分的に所望のモビリティ管理モードに基づいて、ターゲット・システムを選択することを備えうる。この方法はさらに、ターゲット・システムとホーム・システムとを含むアクセス識別子を生成することのみならず、このアクセス識別子を、ターゲット・システムへアクセスする要求とともに、１または複数のネットワーク構成要素へ送信することを含みうる。
【００１２】
また別の態様は、無線通信装置に関する。この無線通信装置は、少なくとも部分的に所望のモビリティ管理モードに基づいて、無線通信のためのアクセス識別子を生成するように構成された少なくとも１つのプロセッサを含みうる。このアクセス識別子は、接続が望まれているターゲット・システムおよびホーム・システムを含む。この無線通信装置はさらに、少なくとも１つのプロセッサに接続されたメモリを含むことができる。
【００１３】
さらに別の態様は、無線通信おいてモビリティ管理モードを指定することを容易にする無線通信装置に関する。この無線通信装置は、少なくとも部分的に所望のモビリティ管理モードに基づいて、ターゲット・システムを選択する手段を備えうる。この無線通信装置はさらに、ターゲット・システムとホーム・システムとを含むアクセス識別子を生成する手段と、ターゲット・システムへのアクセスを要求する手段とを含む。この要求は、アクセス識別子を含む。
【００１４】
さらに別の態様は、コンピュータ・プログラム製品に関する。このコンピュータ・プログラム製品は、少なくとも１つのコンピュータに対して、少なくとも部分的に所望のモビリティ管理モードに基づいて、ターゲット・システムを選択させるためのコードを含むコンピュータ読取可能媒体を有しうる。このコンピュータ読取可能媒体はさらに、少なくとも１つのコンピュータに対して、ターゲット・システムとホーム・システムとを含むアクセス識別子を生成させるためのコードを備えうる。さらに、このコンピュータ読取可能媒体は、少なくとも１つのコンピュータに対して、通信を求める要求とともに、１または複数のネットワーク構成要素へアクセス識別子を送信させるためのコードを備えうる。
【００１５】
前述した目的および関連する目的を達成するために、１または複数の実施形態は、後に十分に記載され特に請求項において指摘される特徴を備えている。以下の記載および添付図面は、１または複数の実施形態のある例示的な態様を詳細に述べている。しかしながら、これらの態様は、様々な実施形態の原理が適用され、記載された実施形態がそのような全ての態様およびそれらの等価物を含むことが意図されている様々な方法のうちのほんの僅かを示すに過ぎない。
【図面の簡単な説明】
【００１６】
【図１】図１は、通信を容易にするためにモビリティ管理モードを利用する無線通信システムの実例である。
【図２】図２は、本明細書に記載されたさまざまな態様にしたがう無線通信システムの実例である。
【図３】図３は、モビリティ管理モードのためのアクセス識別子を通信することを有効にする無線通信システムの実例である。
【図４】図４は、アクセス識別子からモビリティ管理モードを決定することを容易にする方法論の実例である。
【図５】図５は、選択されたモビリティ管理モードでアクセス識別子を生成することを容易にする方法論の実例である。
【図６】図６は、アクセス識別子を作成することを容易にするモバイル・デバイスの実例である。
【図７】図７は、本明細書に記述されたさまざまなシステムおよび方法と共に使用することができる無線ネットワーク環境の実例である。
【図８】図８は、アクセス識別子からモビリティ管理モードを決定するシステムの実例である。
【図９】図９は、モビリティ管理モードを示すアクセス識別子を生成するシステムの実例である。
【発明を実施するための形態】
【００１７】
さまざまな実施形態が、同一要素を参照するために全体を通じて同一符番が用いられている図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、周知の構成およびデバイスが、１または複数の実施形態の説明を容易にするために、ブロック図形式で示される。
【００１８】
本願で使用されるように、用語「構成要素」、「モジュール」、「システム」等は、ハードウェア、ファームウェア、ハードウェアとソフトウェアとの組み合わせ、ソフトウェア、または実行中のソフトウェア、ファームウェア、ミドルウェア、マイクロコード、および／または、これらの任意の組み合わせであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／または遠隔処理によって通信することができる。
【００１９】
さらに、本明細書ではさまざまな実施形態が、モバイル・デバイスに関連して記載される。モバイル・デバイスは、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して説明される。基地局は、モバイル・デバイスと通信するために利用され、アクセス・ポイント、ノードＢ、発展型ノードＢ（ｅノードＢまたはｅＮＢ）、ベース・トランシーバ局（ＢＴＳ）、またはその他幾つかの専門用語でも称されうる。
【００２０】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、あるいは媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストライプ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記述されたさまざまな記憶媒体は、情報を格納するための１または複数のデバイスおよび／またはその他の機械読取可能媒体を示すことができる。用語「機械読取可能媒体」は、限定することなく、命令（群）および／またはデータを格納、包含、および／または搬送することが可能な無線チャネルおよびその他さまざまな媒体を含みうる。
【００２１】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００、ＩＳ−９５規格、およびＩＳ−８５６規格をカバーする。ＴＤＭＡシステムは、例えばグローバル移動体通信システム（ＧＳＭ）のような無線技術を実施することができる。ＯＦＤＭＡシステムは、例えば発展型ＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。ＣＤＭＡ２０００およびＵＭＢは、「第３世代パートナシップ計画２」（３ＧＰＰ２）からの文書に記載されている。
【００２２】
図１に示すように、無線通信システム１００が、本明細書に示されたさまざまな実施形態にしたがって例示される。システム１００は、３ＧＰＰアーキテクチャ、あるいは、例えば３ＧＰＰ２、３ＧＰＰ  ＬＴＥのようなそのバリエーションからなりうる。システム１００は、１または複数のサービス提供ゲートウェイ１０６、１０８を経由して、パケット・データ・ネットワーク（ＰＤＮ）ゲートウェイ１０４からモバイル通信サービスを受信するＵＥ１０２を備える。ＵＥ１０２が移動して、好ましく位置するサービス提供ゲートウェイ１０６、１０８に接続すると、サービス提供ゲートウェイ１０６、１０８は、ＵＥ１０２の移動に対して、ＰＤＮゲートウェイ１０４からサービスを受け取ることを可能にする。したがって、ネットワークにおけるＵＥ１０２の通信は、一例では、ＰＤＮゲートウェイ１０４にアンカーされうる。この点において、ＰＤＮゲートウェイ１０４は、その他の機能の中でもとりわけ、ネットワーク・アドレスをＵＥ１０２へ割り当てることを担当する。そして、サービス提供ゲートウェイ１０６および／または１０８は、その他の機能のみならず、モビリティ管理および認証を担当する。一例において、ＰＤＮゲートウェイ１０４は、ジェネラル・パケット・ラジオ・サービス（ＧＰＲＳ）ネットワークに参加することができる。したがって、ＰＤＮゲートウェイは、ＧＰＲＳバックボーンへのアクセスを提供するゲートウェイＧＰＲＳサポート・ノード（ＧＧＳＮ）になりえる。また、サービス提供ゲートウェイ１０６、１０８は、ＧＧＳＮからＵＥ１０２へのデータにトンネルするサービス提供ＧＰＲＳサポート・ノード（ＳＧＳＮ）になりえる。
【００２３】
システム１００はさらに、例えば、worldwide interoperability for microwave access（ＷｉＭＡＸ）、無線ローカル・エリア・ネットワーク（ＷＬＡＮ）、無線メトロポリタン・エリア・ネットワーク（ＷＭＡＮ）のような非３ＧＰＰアクセス・システム・アーキテクチャにもなりえる。この点において、サービス提供ゲートウェイ１０６、１０８は、ルータ、ＷｉＦｉホットスポット、および／または、その他の非３ＧＰＰゲートウェイになりえる。また、ＰＤＮゲートウェイ１０４は、サービス・バックボーンまでの１または複数のレイヤになりえる。しかしながら、一例において、ＰＤＮゲートウェイ１０４は、サービス提供ゲートウェイ１０６、１０８を経由してＵＥ１０２に複数のアクセス・サービスを提供する複数のバックボーンに接続することができる。別の例では、異なるバックボーンに接続し、１または複数のサービス提供ゲートウェイ１０６および／または１０８へサービスを提供する複数（図示せず）のＰＤＮゲートウェイ１０４が存在しうる。したがって、ＰＤＮゲートウェイ１０４は、遠隔すなわち訪問されうるか、および／または、３ＧＰＰゲートウェイあるいは非３ＧＰＰゲートウェイでありうる。上述したように、これは、多くのモビリティ管理モードおよびアクセス決定をもたらす。この点において、そのような決定は、ＵＥ１０２によって選択されたターゲット・システム（例えば、ＰＤＮゲートウェイ１０４またはサービス提供ゲートウェイ１０６および／または１０８）から推論されうる。さらに、ＵＥ１０２通信を確立するために３ＧＰＰネットワークおよび非３ＧＰＰネットワークによって使用される識別子は、所望のターゲット・システムを含むように修正されうる。少なくとも部分的に、ターゲット・システム（および／または、ホーム・システムまたはその関連）に基づいてモビリティ管理モードを決定するために、ポリシーが利用されうることが認識されるべきである。
【００２４】
一例において、ＵＥ１０２は、遠隔ＰＤＮゲートウェイ１０４（例えばホームＰＤＮゲートウェイすなわち非訪問ＰＤＮゲートウェイ）へアクセスを要求することができる。この場合、サービス提供ゲートウェイ１０６および／または１０８は、要求されたＰＤＮゲートウェイ１０４へのアクセスを提供するためにネットワーク・ベースのモビリティが使用されうると判定することができる。上述したように、要求されたＰＤＮゲートウェイ１０４のための識別子は、サービス提供ゲートウェイ１０６および／または１０８との接続を確立する際にＵＥ１０２によって使用される（例えば、国際モバイル加入者アイデンティティ（ＩＭＳＩ）、アクセス・ポイント名（ＡＰＮ）コンビネーション、修正されたネットワーク・アクセス識別子（ＮＡＩ）のような）識別子において符号化されうる。この例において、ネットワーク・ベースのモビリティは、遠隔ＰＤＮゲートウェイ１０４と、その他のサービス提供ゲートウェイあるいはＰＤＮゲートウェイとの間でＵＥ１０２データを通信するために、３ＧＰＰケースにおいてはＳ８プロトコル、および／または、非３ＧＰＰアクセス・ケースにおいては、Ｓ２ａ／ｂインタフェースを備えた近接モバイル・インターネット・プロトコル（ＰＭＩＰ）を利用することができる。この点に関し、ＵＥ１０２が、異なる公共モバイル・ネットワーク（ＰＬＭＮ：public land mobile network）に移動すると、このネットワークがモビリティを取り扱うので、遠隔ＰＤＮゲートウェイ１０４との通信のために、新たなＰＬＭＮ内のサービス提供ゲートウェイによって、ＵＥ１０２について同じＩＰアドレスが利用されうる。
【００２５】
別の例では、ＵＥ１０２が、例えば、訪問ＰＤＮゲートウェイ１０４に対して、（例えば、便宜的なアクセスのために）現在のサービス提供ゲートウェイ１０６を経由して、ローカル・アクセスを要求することができる。この場合、サービス提供ゲートウェイ１０６および／または１０８は、ＵＥ１０２が、例えば、クライアントＭＩＰ（ＣＭＩＰ）とも呼ばれるモバイル・インターネット・プロトコル（ＭＩＰ）のようなホスト・ベースのモビリティを実行し、このモビリティ管理モードにおけるＵＥ１０２との通信を容易にすると判定する。さらに、おのおののモードについて、ＵＥ１０２は、ターゲット・システムの選択によってアンカーされた接続またはアンカーされていない接続を示すことができる。アンカーされた場合、例えば、サービス提供ゲートウェイ１０６は、ＵＥ１０２について同じＩＰアドレスを用いて、異なるサービス提供ゲートウェイ１０８への通信をハンドオーバする一方、アンカーされていない場合は、サービス提供ゲートウェイ１０６および／または１０８のおのおのにおいて、ＵＥ１０２へ新たなアドレスを割り当てる。要求されたターゲット・システムが、３ＧＰＰネットワーク内にアンカーされた訪問ＰＤＮゲートウェイ１０４である場合、サービス提供するゲートウェイ１０６／１０８とＰＤＮゲートウェイ１０４との間の通信のためにＳ５インタフェースが利用されうる。アンカーされていない場合、ＵＥ１０２が通信を取り扱うので、ＰＤＮゲートウェイ１０４とサービス提供ゲートウェイ１０６／１０８との間の通信のために、そのようなプロトコル通信は必要とされない。要求されたターゲット・システムが、非３ＧＰＰネットワーク内にアンカーされた訪問ＰＤＮゲートウェイ１０４である場合、サービス提供ゲートウェイ１０６／１０８と、ＰＤＮゲートウェイ１０４との間の通信のために、ＰＭＩＰおよび／またはＳ２ａ／ｂインタフェースが利用されうる。アンカーされていない場合、ＰＤＮゲートウェイ１０４と直接的に通信するために、ＵＥ１０２によってＳ２ｃインタフェースが利用されうる。アンカーされていない場合、ＵＥ１０２は、サービス提供ゲートウェイ１０６／１０８を必要とせずに、ＰＤＮゲートウェイ１０４（または、他のゲートウェイ）へと直接的に接続することができることが認識されるべきである。さらに、ＵＥ１０２は、ターゲット・システムにアクセスする場合、ターゲット・システム選択によって指示されたモビリティ管理モードを利用することができる。
【００２６】
図２に示すように、無線通信システム１００が、本明細書に示されたさまざまな実施形態にしたがって例示される。システム２００は、複数のアンテナ・グループを含むことができる基地局２０２を備える。例えば、１つのアンテナ・グループは、アンテナ２０４およびアンテナ２０６を含むことができ、別のグループはアンテナ２０８およびアンテナ２１０を備えることができ、さらに別のグループはアンテナ２１２およびアンテナ２１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２７】
基地局１０２は、例えばモバイル・デバイス１１６およびモバイル・デバイス１２２のような１または複数のアクセス端末と通信することができる。しかしながら、基地局２０２は、モバイル・デバイス２１６およびモバイル・デバイス２２２に類似した実質的に任意の数のモバイル・デバイスと通信しうることが理解されるべきである。モバイル・デバイス２１６およびモバイル・デバイス２２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム２００を介して通信するのに適切なその他任意のデバイスでありうる。図示するように、モバイル・デバイス２１６は、アンテナ２１２およびアンテナ２１４と通信している。ここで、アンテナ２１２およびアンテナ２１４は、順方向リンク２１８によってモバイル・デバイス２１６へ情報を送信し、逆方向リンク２２０によってモバイル・デバイス２１６から情報を受信する。さらに、モバイル・デバイス２２２はアンテナ２０４およびアンテナ２０６と通信している。ここで、アンテナ２０４およびアンテナ２０６は、順方向リンク２２４でモバイル・デバイス２２２へ情報を送信し、逆方向リンク２２６でモバイル・デバイス２２２から情報を受信する。周波数分割デュプレクス（ＦＤＤ）システムでは、例えば、順方向リンク２１８は、逆方向リンク２２０によって使用されるものとは異なる周波数帯域を使用し、順方向リンク２２４は、逆方向リンク２２６によって使用されるものとは異なる周波数帯域を使用することができる。さらに、時分割デュプレクス（ＴＤＤ）システムでは、順方向リンク２１８および逆方向リンク２２０は、共通の周波数帯域を使用し、順方向リンク２２４および逆方向リンク２２６は、共通の周波数帯域を使用することができる。
【００２８】
通信するように指定された領域および／またはアンテナのおのおののグループは、基地局２０２のセクタと称されうる。例えば、基地局２０２によってカバーされる領域のセクタ内のモバイル・デバイスに通信するように、複数のアンテナが設計されうる。順方向リンク２１８および順方向リンク２２４による通信では、基地局２０２の送信アンテナは、モバイル・デバイス２１６およびモバイル・デバイス２２２のための順方向リンク２１８および順方向リンク２２４の信号対雑音比を改善するためにビームフォーミングを適用することができる。また、基地局２０２が、関連する有効範囲にランダムに散在したモバイル・デバイス２１６、２２２に送信するためにビームフォーミングを利用している間、近隣セル内のモバイル・デバイスは、全てのモバイル・デバイスに対して単一アンテナによって送信している基地局に比べて、少ない干渉しか被らない。さらに、モバイル・デバイス２１６、２２２は、図示するように、ピア・ツー・ピアまたはアド・ホック技術を用いて互いに直接的に通信することができる。一例によれば、システム２００は、複数入力複数出力（ＭＩＭＯ）通信システムになりえる。さらに、システム２００は、例えばＦＤＤ、ＴＤＤ等のような通信チャンネル（例えば、順方向リンク、逆方向リンク等）を分割するために、任意のタイプの二重化技術を実質的に利用することができる。
【００２９】
さらに、基地局２０２は、例えばゲートウェイや、ＰＤＮゲートウェイや、認証、認可および課金（ＡＡＡ）サーバ等のような（図示しない）コア無線ネットワーク構成要素とモバイル・デバイス２１６、２２２との間の通信を容易にしうる。そのような通信は、その他さまざまな基礎をなすネットワーク構成要素を通じてなされうることが認識されるべきである。この点において、モバイル・デバイス２１６、２２２は、コア・ネットワーク構成要素を用いて認証される。そして、これら構成要素は、上述したように、サービスを信号として送信する基地局２０２を用いて、モバイル・デバイス２１６、２２２へサービスを提供する。したがって、モバイル・デバイス２１６、２２２は、基地局２０２へ情報を送信することによって、例えばＩＭＳＩ、ＡＰＮ、ＮＡＩ、修正ＮＡＩ等のような上述したアクセス情報および識別情報を、これら基礎をなす構成要素へ提供しうる。
【００３０】
基地局２０２は、（例えば物理レイヤ、プロトコル・レイヤ等のような）さまざまなネットワーク・レイヤにおいて、モバイル・デバイス２１６、２２２からの通信をベリファイすると、識別情報およびアクセス情報を、基地局に関連付けられた基礎をなすネットワーク構成要素へ転送しうる。上述したように、識別情報およびアクセス情報は、モバイル・デバイス２１６および／または２２２の識別子、許可のためのホーム・システム・インジケータ、および、モバイル・デバイス２１６および／または２２２が接続を求めているターゲット・システムのインジケータを備えうる。したがって、上述したさまざまなインジケータに依存して、基礎をなすネットワーク構成要素は、モバイル・デバイス２１６および／または２２２によってどのアクセスが望まれているのかを判定し、通信を容易にするために、基地局２０２を用いてアクセスを提供する。一例として、これは、ターゲット・システムおよび／またはホーム・システムの選択に関し、少なくとも部分的にポリシーに基づきうる。
【００３１】
図３に示すように、初期アクセス、継続アクセス、および／または、アクセス・ハンドオーバのためのアクセス要求情報を通信することを容易にする無線通信システム３００が例示されている。このシステム３００は、１または複数のゲートウェイ３０６へのハンドオーバまたは初期接続点をネゴシエートする際における無線デバイス３０４のためのアクセス・パラメータを決定するアクセス・デバイス３０２を含む。アクセス・デバイス３０２は、ゲートウェイ３０６と通信することができる。さらに、このゲートウェイは、無線デバイス３０４とアクセス・デバイス３０２との間のアクセスを提供することができる。一例において、無線デバイス３０４は、ゲートウェイ３０６と通信し、ゲートウェイ３０６は、無線デバイス３０４のためのアクセス・パラメータを決定するために、コア・ネットワーク構成要素となりうるアクセス・デバイス３０２と独立して通信する。さらに、無線デバイス３０４は、例えば上述したように、基地局、ルータ、ＷｉＦｉホットスポット、あるいは、実質的に任意の３ＧＰＰまたは非３ＧＰＰの通信ハブを経由して、ゲートウェイ３０６および／またはアクセス・デバイス３０２と通信しうることが認識されるべきである。さらに、ゲートウェイ３０６は、サービス提供ゲートウェイ、サービス・プロバイディング・ゲートウェイ等になりうる。
【００３２】
アクセス・デバイス３０２は、無線デバイス３０４から受信した、例えば、前述したようなアイデンティティ、ホーム・システム、ターゲット・システム等のような情報を、アクセス識別子から決定するアクセス識別子インタプリタ３０８を含みうる。アクセス・デバイス３０２はまた、無線デバイス３０４からのアクセス要求を処理し、それにしたがってアクセス・タイプを定義するアクセス・タイプ定義部３１０と、無線ネットワーク・サービスを要求し、（本コンテクストではＰＤＮまたはサービス提供ゲート・アレイ、その他のコア・ネットワーク構成要素等でありうる）ゲートウェイ３０６から取得するネットワーク・サービス・リクエスタ３１２とを含む。無線デバイス３０４は、アクセス識別子を生成するアクセス識別子定義部３１４のみならず、ゲートウェイ３０６からのサービスを要求するサービス・リクエスタ３１６を備えうる。この要求には、アクセス識別子が含まれる。これらサービスは、例えばインターネット・バックボーン、３ＧＰＰアクセス構成要素等のようなその他のネットワーク構成要素へのアクセスを含みうる。
【００３３】
一例によれば、無線デバイス３０４はまず、上述したように、３ＧＰＰアクセスまたは非３ＧＰＰアクセスのため、ゲートウェイ３０６への接続点を要求しうる。そのような接続点へのアクセスを要求する際、アクセス識別子定義部３１４は、識別子を生成し、サービス・リクエスタ３１６は、その接続点を要求する際に利用することができる。例えば、識別子は、無線デバイス３０４の識別情報、無線デバイス３０４のホーム・システム、および、（例えば、ゲートウェイ３０６、あるいは、ローカル・アクセスのコンテクストにおけるゲートウェイ自身を経由して）無線デバイス３０４がアクセスを望むターゲット・システム、に関する情報を備えうる。この点において、識別子は、ＩＭＳＩ／ＡＰＮコンビネーション、ターゲット・システムを含むＮＡＩの拡張版などでありうる。アクセス・デバイス３０２は、アクセスが要求されると、アクセス識別子を受信する。アクセス識別子インタプリタ３０８は、この識別子に含まれる情報を判定し、アクセス・タイプ定義部３１０はさらに、この情報に基づいて、コンフィギュレーション設定またはアクセス・パラメータを推論する。
【００３４】
一例において、無線デバイス３０４は、３ＧＰＰコンテクストでは、アクセス識別子定義部３１４を利用することによって、（ゲートウェイ３０６であるか、あるいは、ゲートウェイ３０６によってアクセス可能である）ＰＤＮゲートウェイを、アクセス識別子のターゲット・システム識別子へと符合化しうる。非３ＧＰＰコンテクストでは、異なるタイプのゲートウェイが符合化されうる。さらに、アクセス識別子定義部３１４は、ターゲット・システムと同じであるか、あるいは、異なるホーム・システムを符合化しうる。一つの例では、この識別子は、３ＧＰＰを使用した場合、ＡＰＮおよび／またはＩＭＳＩでありうる。また、非３ＧＰＰの場合、ターゲット・システム・インジケータを含む拡張されたＮＡＩが使用されうる。それに続いて、サービス・リクエスタ３１６は、この識別子をアクセス・デバイス３０２またはゲートウェイ３０６へ送信する。ゲートウェイ３０６は、アクセス・デバイス３０２を利用して、無線デバイス３０４のためのアクセス・パラメータを設定する。アクセス識別子インタプリタ３０８は、無線デバイス３０４の識別子、ターゲット・システム、およびホーム・システムを決定するために、アクセス識別子を解釈する。
【００３５】
アンカーされていないローカル・ネットワーク・アクセスまたは訪問ネットワーク・アクセスが要求される場合（例えば、ターゲット・システムが、ホーム・システムに関連していない場合）、無線デバイス３０４は、上述したように、ホスト・ベースのモビリティ管理を提供する。アクセス識別子インタプリタ３０８は、ホーム・システムおよびターゲット・システムを抽出し、アクセス・タイプ定義部３１０は、アンカーされていないローカル／訪問アクセスが要求されていると判定することができる。したがって、ネットワーク・サービス・リクエスタ３１２は、この要求およびモビリティ管理情報を、例えばゲートウェイのようなサービス提供ゲートウェイへ通信することができる。無線デバイス３０４によって実行されるこのホスト・ベースのモビリティは、サービス提供ゲートウェイ３０６を経由して（例えば、ＰＤＮゲートウェイまたはその他のバックボーン・プロバイダのような）サービス・プロバイディング・ゲートウェイと通信するために、ＭＩＰ、Ｓ２ｃインタフェース等を利用することを含む。無線デバイス３０４は、サービス提供ゲートウェイ３０６を必要としなくても、サービス・プロバイディング・ゲートウェイに直接的に接続できることが認識されるべきである。さらに、このアクセス・コンテクストでは、無線デバイス３０４が、別のゲートウェイへハンドオーバされると、無線デバイス３０４は、再認証手順、ＩＰアドレス変更等を取り扱うことを含みうるモビリティ管理を実行する。
【００３６】
アンカーされたアクセスが、ローカル・ネットワークまたは訪問ネットワークから要求されると、無線デバイス３０４は、ネットワーク・ベースのモビリティ管理が提供されていると仮定する。また、アクセス識別子インタプリタ３０８は、ホーム・システムおよびターゲット・システムを抽出し、アクセス・タイプ定義部３１０は、アンカーされたローカル／訪問アクセスが、ＰＤＮゲートウェイまたはその他のサービス・プロバイディング・ゲートウェイへ要求されたと判定する。したがって、ネットワーク・サービス・リクエスタ３１２は、この要求およびモビリティ管理情報を、サービス提供ゲートウェイ３０６へ通知する。サービス提供ゲートウェイ３０６は、（例として、３ＧＰＰコンテクストでは）Ｓ５インタフェースおよび／または（例として、非３ＧＰＰコンテクストでは）ＰＭＩＰを用いて、サービス提供ゲートウェイ３０６とサービス・プロバイディング・ゲートウェイ（あるいは、例えばその他のゲートウェイ）との間で無線デバイス３０４データを通信する。さらに、この例において、訪問サービス・プロバイディング・ゲートウェイは、例えば、訪問ゲートウェイとしてホーム加入者サーバ（ＨＳＳ）内に格納されうる。このアクセス・コンテクストでは、もしも無線デバイス３０４が、次のサービス提供ゲートウェイへハンドオーバされ、ＨＳＳが、訪問サービス・プロバイディング・ゲートウェイを示すのであれば、次のサービス提供ゲートウェイは、サービス・プロバイディング・ゲートウェイを利用し続ける。しかしながら、次のサービス提供ゲートウェイが、新たなＰＬＭＮの一部である場合、新たなＩＰアドレスが、無線デバイス３０４へ割り当てられうる。
【００３７】
遠隔ネットワーク・アクセスが要求される場合（例えば、ターゲット・システムがホーム・システムであるか、ホーム・システムに関連付けられている場合）も、無線デバイス３０４はやはり、ネットワーク・ベースのモビリティ管理が提供されていると仮定する。また、アクセス識別子インタプリタ３０８は、ホーム・システムおよびターゲット・システムを抽出し、アクセス・タイプ定義部３１０は、遠隔アクセスが、ＰＤＮゲートウェイまたはその他のサービス・プロバイディング・ゲートウェイへ要求されていると判定する。したがって、ネットワーク・サービス・リクエスタ３１２は、この要求およびモビリティ管理情報を、サービス提供ゲートウェイ３０６へ通知することができる。サービス提供ゲートウェイ３０６は、（例えば、３ＧＰＰコンテクストでは）Ｓ８インタフェースおよび／または（例えば、非３ＧＰＰコンテクストでは）ＰＭＩＰを用いて、サービス提供ゲートウェイ３０６と（例えば、ＰＤＮゲートウェイまたはその他のゲートウェイのような）サービス・プロバイディング・ゲートウェイとの間で無線デバイス３０４データの通信を行う。さらに、この例において、遠隔サービス・プロバイディング・ゲートウェイは、例えば、遠隔ゲートウェイとしてホーム加入者サーバ（ＨＳＳ）内に格納されうる。このアクセス・コンテクストでは、無線デバイス３０４が次のサービス提供ゲートウェイへハンドオーバされ、ＨＳＳが、遠隔サービス・プロバイディング・ゲートウェイを示すのであれば、無線デバイス３０４は、ハンドオーバ時に、ＰＬＭＮ境界を越えたか否かに関わらず、サービス提供ゲートウェイと（または、非３ＧＰＰコンテクストの場合）サービス・プロバイディング・ゲートウェイとの間のＳ８インタフェースを経由して、遠隔サービス・プロバイディング・ゲートウェイへ接続される。
【００３８】
さらに、一例において、アクセス・デバイス３０２は、無線デバイス３０４が、アクセス・デバイス３０２によって決定されたモードを用いているかを確認するために、識別子を解析した後、モビリティ管理モードを無線デバイス３０４に通知する。いくつかのアクセス・コンテクストでは、無線デバイス３０４は、もし望まれるのであれば、所与のネットワークにおけるゲートウェイとのより安定した関係を確立するために、通信中に、アクセス・タイプを切り換えうることが認識されるべきである。例えば、アンカーされていないローカル・ネットワーク・アクセスが初めて確立される場合、無線デバイス３０４は、新たな識別子をアクセス・デバイス３０２に送信することにより、サービス・プロバイディング・ゲートウェイへのアンカーされたローカル・アクセスまたは遠隔アクセスを確立するために、ローカル・アクセス・ゲートウェイを導入することを試みることができる。さらに、アクセス・デバイス３０２は、サービス提供ゲートウェイおよび／またはサービス・プロバイディング・ゲートウェイの内部に実装されうること、あるいは、サービス提供ゲートウェイおよび／またはサービス・プロバイディング・ゲートウェイによってアクセス可能であること、ＡＡＡサーバ内に存在することが可能であること、スタンド・アロン構成要素でもありうることなどが認識されるべきである。さらに、サービス・リクエスタ３１６は、ゲートウェイ３０６を経由してターゲット・システムにアクセスした場合、無線デバイス３０４によって選択されたモビリティ管理モードを利用することができる。
【００３９】
図４および図５に示すように、無線通信のためのモビリティ管理モードを示すために、ターゲット・システム選択を利用することに関連する方法論が例示される。説明を簡単にする目的で、これら方法論は、一連の動作として示され、説明されているが、幾つかの動作は、１または複数の実施形態にしたがって、本明細書に図示および説明されたものとは異なる順序で、および／または、他の動作と同時に引き起こりうるので、これら方法論は、このような動作順によって限定されないことが理解および認識されるべきである。例えば、当業者であれば、これら方法論は、その代わりに、例えば状態図のような相互関連する一連の状態またはイベントとして示されうることを理解および認識するだろう。さらに、１または複数の実施形態にしたがって方法論を実現するために、必ずしも全ての動作が必要とされる訳ではない。
【００４０】
図４に移って、受信されたアクセス識別子からモビリティ管理モードを判定することを容易にする方法論４００が例示される。４０２において、アクセス識別子が受信される。これは、無線デバイスからのものであり、例えば、ターゲット・システムおよびホーム・システムを含んでおり、通信リソースを求める要求を伴うことができる。４０４では、アクセス識別子から、ホーム・システムおよびターゲット・システムが決定される。これらシステムは、同じまたは別でありうる。あるいは、一つの例では、例えば、上述したようなさまざまなネットワーク構成要素間の通信において利用されるプロトコルおよび／またはインタフェースのような必要なアクセス・パラメータを推論するために、システムを示すインジケーションを利用できるように関連付けられる。
【００４１】
４０６では、少なくとも部分的にホーム・システムおよびターゲット・システムに基づいて、モビリティ管理モードが確立されうる。このモードは、システムに依存して、ネットワーク・ベースとなるか、あるいは、ホスト・ベースとなりうる。例えば、上述したように、いくつかのローカル・システムあるいは訪問ターゲット・システムの場合、アクセス識別子が関連するデバイスが、初期接続およびハンドオーバのためのモビリティ・コンテクストを保持できるように、ホスト・ベースのモビリティが利用される。別の例では、上述したように、遠隔ターゲット・システムの場合、デバイスが、モビリティ情報を変更する必要なく、さまざまなデバイスの間に移動できるように、ネットワークが、モビリティ・コンテクストを保持する。４０８では、少なくとも部分的にこの観点におけるモビリティ管理モードに基づいて、ネットワーク通信が容易とされる。
【００４２】
図５に示すように、アクセス識別子でモビリティ管理モード情報を送信することを容易にする方法論５００が例示される。５０２では、所望されるモビリティ管理モードが決定される。これは、少なくとも部分的に、所望のアクセス、そのようなアクセスの利便性または品質、利用可能なプロトコル等に基づきうる。例えば、このモードは、３ＧＰＰアクセスまたは非３ＧＰＰアクセスが望まれているか、ＭＩＰまたはＰＭＩＰがサポートされているか等に基づきうる。５０４では、所望のモビリティ管理モードに基づいてターゲット・システムが選択される。例えば、ターゲット・システムは、ローカルまたはリモート、アンカーされているか否か、３ＧＰＰであるか非３ＧＰＰであるか、ゲートウェイであるかその他のサービス・プロバイディング構成要素であるかである。ゲートウェイは、例えばインターネット・アクセス、３ＧＰＰ  ＬＴＥサービス等のようなさまざまなサービスを提供するバックボーンに接続しうる。
【００４３】
５０６では、ターゲット・システムおよびホーム・システムに基づいてアクセス識別子が生成されうる。アクセス識別子はまた、生成するデバイスを識別しうる。５０８では、通信リソースの要求時に、アクセス識別子が送信される。これらのリソースは、上述したように、インターネット・アクセス、音声サービス、その他のデータ・サービス等を含む複数のサービスに関連しうる。この要求の受信機は、この受信機および送信機が、同じモビリティ管理モードを利用できるように、前述したように、アクセス識別子に基づいて、モビリティ管理モードを決定しうる。
【００４４】
本明細書に記述された１または複数の態様によれば、前述したように、指定されたターゲット・システムおよびホーム・システムからモビリティ管理モードを決定することに関する推論がなされうることが認識されるだろう。本明細書で使用されるように、「推論する」または「推論」なる文言は一般に、イベントおよび／またはデータによってキャプチャされるような観察のセットから、システム、環境、および／または、ユーザの状態を推理または推論するプロセスを称する。推論は、特定の文脈または動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４５】
例によれば、前述した１または複数の方法は、所望のモビリティ管理モード仕様を求めてターゲット・システムを選択することに関連する推論をすることと、選択されたターゲット・システムおよびホーム・システムからモビリティ管理モードを決定することと、ターゲット・システムが３ＧＰＰであるか非３ＧＰＰであるか、アンカーされているか否か、ローカルであるか遠隔であるか等を判定することとを含みうる。
【００４６】
図６は、少なくとも部分的に所望のモビリティ管理モードに基づいてアクセス識別子を生成し、それを送信することを容易にするモバイル・デバイス６００の例示である。モバイル・デバイス６００は、例えば（図示しない）受信アンテナから信号を受信し、この受信した信号に一般的な動作（例えば、フィルタ、増幅、ダウンコンバート等）を実行し、この調整された信号をデジタル化して、サンプルを得る受信機６０２を備える。受信機６０２は、受信したシンボルを復調し、それらをチャネル推定のためにプロセッサ６０６へ提供する復調器６０４を備えうる。プロセッサ６０６は、受信機６０２によって受信された情報を分析すること、および／または、送信機６１６による送信のための情報を生成することに特化されたプロセッサであるか、モバイル・デバイス６００の１または複数の構成要素を制御するプロセッサであるか、および／または、受信機６０２によって受信された情報の分析と、送信機６１６による送信のための情報の生成と、モバイル・デバイス６００のうちの１または複数の構成要素の制御とを全て行うプロセッサでありうる。
【００４７】
モバイル・デバイス６００はさらに、プロセッサ６０６と動作可能に接続されたメモリ６０８を備えうる。メモリ６０８は、送信されるデータ、受信されたデータ、利用可能なチャネルに関する情報、分析された信号および／または干渉強度に関連する情報、割り当てられたチャネルや電力やレート等に関連する情報、チャネルの推定およびチャネルを介した通信のために適切なその他任意の情報を格納しうる。メモリ６０８はさらに、（例えば、パフォーマンス・ベースや容量ベース等での）チャネルの推定および／または利用に関連するアルゴリズムおよび／またはプロトコルを格納しうる。
【００４８】
本明細書に記載のデータ・ストア（例えば、メモリ６０８）は、揮発性メモリまたは不揮発性メモリの何れかであるか、あるいは、揮発性メモリおよび不揮発性メモリの両方を含みうることが理解されるだろう。例示によって、限定ではなく、不揮発性メモリは、読取専用メモリ（ＲＯＭ）、プログラマブルＲＯＭ（ＰＲＯＭ）、ＥＰＲＯＭ（ＥＰＲＯＭ）、電子的に消去可能なＰＲＯＭ（ＥＥＰＲＯＭ）、あるいはフラッシュ・メモリを含むことができる。揮発性メモリは、外部キャッシュ・メモリとして動作するランダム・アクセス・メモリ（ＲＡＭ）を含むことができる。例示によって、限定ではなく、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。対象システムおよび方法のメモリ６０８は、限定される訳ではないが、これらおよびその他の適切なタイプのメモリを備えることが意図される。
【００４９】
プロセッサ６０６はさらに、１または複数の無線ネットワークからの通信リソースを要求するサービス・リクエスタ６１０に動作可能に接続されうる。上述したように、ネットワークは、例えば、３ＧＰＰまたは非３ＧＰＰでありうる。サービス・リクエスタ６１０および／またはプロセッサ６０６はまた、所望の通信のためのターゲット・システムおよびホーム・システムを示すアクセス識別子を生成するアクセス識別子生成部６１２にも接続されうる。アクセス識別子は、少なくとも部分的に、本明細書に記載したように選択されたターゲット・システムおよびホーム・システムに基づいて、モビリティ管理モードを指定するように生成されうる。モバイル・デバイス６００はさらに、信号を変調する変調器６１４と、この信号を、例えば基地局、他のモバイル・デバイス等へ送信する送信機６１６とを備えうる。プロセッサ６０６と別に示されているが、サービス・リクエスタ６１０、アクセス識別子生成部６１２、復調器６０４、および／または、変調器６１４は、プロセッサ６０６または複数のプロセッサ（図示せず）の一部でありうることが認識されるべきである。
【００５０】
図７は、無線通信システム７００の一例を示す。無線通信システム７００は、簡潔さの目的で、１つの基地局７１０と１つのアクセス端末７５０とを示している。しかしながら、システム７００は、１より多い基地局、および／または、１より多いモバイル・デバイスを含むことができ、これら追加の基地局および／またはモバイル・デバイスは、以下に説明する基地局７１０およびモバイル・デバイス９５０の例と実質的と同じでも、別のものでもありうることが認識されるべきである。さらに、基地局７１０および／またはモバイル・デバイス７５０は、その間の無線通信を容易にするために、本明細書に記述されたシステム（図１乃至図３、図６）および／または方法（図４乃至図５）を適用しうることが認識されるべきである。
【００５１】
基地局７１０では、多くのデータ・ストリームのためのトラフィック・データが、データ・ソース７１２から送信（ＴＸ）データ・プロセッサ７１４へ提供される。一例によれば、おのおののデータ・ストリームは、それぞれのアンテナを介して送信される。ＴＸデータ・プロセッサ７１４は、トラフィック・データ・ストリームをフォーマットし、このデータ・ストリームのために選択された特定の符合化スキームに基づいて符号化し、インタリーブして、符合化されたデータを提供する。
【００５２】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにアクセス端末７５０において使用されうる。おのおののデータ・ストリームに関する多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ７３０によって実行または提供される命令によって決定されうる。
【００５３】
データ・ストリームの変調シンボルは、（例えば、ＯＦＤＭのために）変調シンボルを処理するＴＸ  ＭＩＭＯプロセッサ７２０に提供される。ＴＸ  ＭＩＭＯプロセッサ７２０はその後、ＮＴ個の変調シンボル・ストリームを、ＮＴ個の送信機（ＴＭＴＲ）７２２ａ乃至７２２ｔへ提供する。さまざまな実施形態において、ＴＸ  ＭＩＭＯプロセッサ７２０は、データ・ストリームのシンボル、および、そのシンボルが送信されるアンテナへ、ビームフォーミング重みを適用する。
【００５４】
おのおのの送信機７２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機７２２ａ乃至７２２ｔからのＮＴ個の変調信号は、ＮＴ個のアンテナ７２４ａ乃至７２４ｔそれぞれから送信される。
【００５５】
アクセス端末７５０では、送信された変調信号がＮＲ個のアンテナ７５２ａ乃至７５２ｒによって受信され、おのおののアンテナ７５２からの受信信号が、それぞれの受信機（ＲＣＶＲ）７５４ａ乃至７５４ｒへ提供される。おのおのの受信機７５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５６】
ＲＸデータ・プロセッサ７６０は、ＮＲ個の受信機７５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ７６０は、検出されたおのおののシンボル・ストリームを復調し、デインタリーブし、復号して、そのデータ・ストリームのためのトラフィック・データを復元する。ＲＸデータ・プロセッサ７６０による処理は、基地局７１０におけるＴＸ  ＭＩＭＯプロセッサ７２０およびＴＸデータ・プロセッサ７１４によって実行されるものと相補的である。
【００５７】
プロセッサ７７０は、上述したように、どの事前符合化行列を使用するのかを定期的に決定する。さらに、プロセッサ７７０は、行列インデクス部およびランク値部とを備えた逆方向リンク・メッセージを規定することができる。
【００５８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース７３６から受け取るＴＸデータ・プロセッサ７３８によって処理され、変調器７８０によって変調され、送信機７５４ａ乃至７５４ｒによって調整され、基地局７１０へ送り戻される。
【００５９】
基地局７１０では、アクセス端末７５０からの変調信号が、アンテナ７２４によって受信され、受信機７２２によって調整され、復調器７４０によって復調され、ＲＸデータ・プロセッサ７４２によって処理されて、アクセス端末７５０によって送信された逆方向リンク・メッセージを抽出する。さらに、プロセッサ７３０は、ビームフォーミング重みを決定するためにどの事前符合化行列を使用するかを決定するために、この抽出されたメッセージを処理する。
【００６０】
プロセッサ７３０およびプロセッサ７７０は、基地局７１０およびアクセス端末７５０それぞれにおける動作を指示（例えば、制御、調整、管理等）する。プロセッサ７３０およびプロセッサ７７０はそれぞれ、プログラム・コードおよびデータを格納するメモリ７３２およびメモリ７７２に関連付けられうる。プロセッサ７３０およびプロセッサ７７０はまた、アップリンクおよびダウンリンクそれぞれのための周波数およびインパルス応答推定値を導出する計算をも実行する。
【００６１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００６２】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００６３】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６４】
図８に示すように、無線通信のためのモビリティ管理モードを決定することを容易にするシステム８００が例示される。例えば、システム８００は、基地局、モバイル・デバイス、例えばゲートウェイ、ＡＡＡサーバ等のような基礎をなすネットワーク構成要素内に少なくとも部分的に存在しうる。システム８００は、プロセッサ、ソフトウェア、または（例えば、ファームウェアのような）これらの組み合わせによって実現される機能を表す機能ブロックでありうる機能ブロックを含むものとして表されることが認識されるべきである。システム８００は、連携して動作しうる電子構成要素の論理グループ８０２を含む。例えば、論理グループ８０２は、無線デバイスに関連するホーム・システムおよびターゲット・システムを含むアクセス識別子を受信する電子構成要素８０４を含みうる。例えば、ターゲット・システムおよびホーム・システムは、アクセス識別子を送信するデバイスの所望のアクセス・タイプを示しうる。さらに、論理グループ８０２は、少なくとも部分的にアクセス識別子に基づいて、無線デバイスと通信するためにモビリティ管理モードを決定する電子構成要素８０６を備えうる。例えば、前述したように、アクセス識別子は、ホーム・システムとターゲット・システムとの関連性を含み、要求元のデバイスが、アンカーまたは非アンカー、３ＧＰＰまたは非３ＧＰＰ、ローカルまたはリモートのゲートウェイ・アクセスを望んでいるかを示す。さらに、システム８００は、電子構成要素８０４、８０６と関連付けられた機能を実行するための命令群を保持するメモリ８０８を含みうる。メモリ８０８の外部にあるとして示されているが、電子構成要素８０４、８０６のうちの１または複数は、メモリ８０８内に存在しうることが理解されるべきである。
【００６５】
図９に移って、所望のモビリティ管理モードのためのアクセス識別子を定義するシステム９００が例示される。システム９００は、例えば、基地局、モバイル・デバイス等の内部に存在しうる。図示するように、システム９００は、プロセッサ、ソフトウェア、または（例えば、ファームウェアのように）これらの組み合わせによって実現される機能を表す機能ブロックを含む。システム９００は、アクセス識別子の生成および送信を容易にする電子構成要素の論理グループ９０２を含む。論理グループ９０２は、少なくとも部分的に、所望のモビリティ管理モードに基づいてターゲット・システムを選択する電子構成要素９０４を含みうる。例えば、前述したように、ターゲット・システム選択は、所望のモビリティ管理モードと相互に関連しうる。一例において、ターゲット・システムがホーム・システムとは異なる場合、ローカルなアクセスが仮定され、ターゲット・システムとホーム・システムとが関連している場合、遠隔アクセスが仮定される。さらに、論理グループ９０２は、ターゲット・システムとホーム・システムを含むアクセス識別子を生成する電子構成要素９０６を含みうる。さらに、論理グループ９０２は、ターゲット・システムへのアクセスを要求する電子構成要素９０８を備えうる。この要求は、アクセス識別子を含む。したがって、アクセス識別子は、本明細書に記述されたモビリティ管理モードを決定するために、通信が要求されるターゲット・システムによって解釈されうる。さらに、システム９００は、電子構成要素９０４、９０６、９０８に関連付けられた機能を実行する命令群を保持するメモリ９１０を含みうる。メモリ９１０の外側にあると示されているが、電子構成要素９０４、９０６、９０８は、メモリ９１０の内部に存在しうることが理解されるべきである。
【００６６】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010530161.tif 000003
【図２】
2010530161.tif 000004
【図３】
2010530161.tif 000005
【図４】
2010530161.tif 000006
【図５】
2010530161.tif 000007
【図６】
2010530161.tif 000008
【図７】
2010530161.tif 000009
【図８】
2010530161.tif 000010
【図９】
2010530161.tif 000011
【国際調査報告】
2010530161.tif 000012
2010530161.tif 000013